(57)【要約】【課題】  専用枠を要せずにロール網戸を取付けることができ、納まりへの影響がなく、コストの低減が図れる開口部装置を提供する。【解決手段】  上枠２ａ、下枠２ｂ及び左右の縦枠２ｃ，２ｄからなる窓枠２と、該窓枠２内の片側又は中央に設けられた嵌め殺し部３と、窓枠２内にスライド開閉可能に設けられた片引き障子４とを備え、前記嵌め殺し部３は、上枠２ａ及び下枠２ｂに設けられた溝５，６にパネル７を装着してなり、前記嵌め殺し部３と対向する側の縦枠２ｃの内側面にロール網戸２０の網体２１を巻取って収納する巻取部２２を設け、該巻取部２２から引き出した網体２１の端部に戸先框２３を設け、該戸先框２３の上下端部を横方向にスライド可能に支持するガイドレール２４，２５を前記上枠２ａ及び下枠２ｂの溝５，６と同列に設けている。【選択図】          図３
2006002452.tif 000002
【特許請求の範囲】
【請求項１】
上枠、下枠及び左右の縦枠からなる窓枠と、該窓枠内の片側又は中央に設けられた嵌め殺し部と、窓枠内にスライド開閉可能に設けられた片引き障子とを備え、前記嵌め殺し部は、上枠及び下枠に設けられた溝にパネルを装着してなり、前記嵌め殺し部と対向する側の縦枠の内側面にロール網戸の網体を巻取って収納する巻取部を設け、該巻取部から引き出した網体の端部に戸先框を設け、該戸先框の上下端部を横方向にスライド可能に支持するガイドレールを前記上枠及び下枠の溝と同列に設けたことを特徴とする開口部装置。
【請求項２】
上枠、下枠及び左右の縦枠からなる窓枠と、該窓枠内の片側又は中央に設けられた嵌め殺し部と、窓枠内にスライド開閉可能に設けられた片引き障子とを備え、前記嵌め殺し部は、上枠及び下枠に設けられた溝にパネルを装着してなり、前記嵌め殺し部と対向する側の縦枠の内側面にロール網戸の網体を巻取って収納する巻取部を設け、該巻取部から引き出した網体の端部に戸先框を設け、該戸先框の上下端部を横方向にスライド可能に支持するガイドレールを前記上枠及び下枠の溝と同列に設け、前記戸先框に、その両端から制動部材をガイドレール内に押し当てて戸先框を所望の位置に停止させる停止機構を設けたことを特徴とする開口部装置。
【発明の詳細な説明】
【技術分野】
【０００１】
本発明は、開口部装置に係り、特にロール網戸の取付構造を改良した開口部装置に関する。
【背景技術】
【０００２】
一般に、建物の開口部に設けられる引違い窓や片引き窓等の開口部装置（窓サッシ）に横引きのロール網戸を取付ける場合、上枠、下枠及び左右の縦枠からなる窓枠（サッシ枠）の縦枠の室内面に、ロール網戸の網体を巻き取って収納する巻取部を設け、この巻取部から引き出した網体の端部に戸先框を設け、前記上枠及び下枠に戸先框の両端部を横方向にスライド可能に支持するガイドレールを設けることが行われている。
【０００３】
一方、ロール網戸においては、網体が風等に煽られてガイドレールから外れて隙間が発生するのを防止する方法として、網体の両側辺に例えばバンクテープを縫い付けて縁部を設け、該縁部をスライド可能に支持するインナーレールを前記ガイドレール内に設ける方法がある。この方法では、専用のガイドレールが必要となる。なお、ロール網戸が記載された刊行物としては、例えば、特開２００４−８４３８９号公報がある。
【０００４】
【特許文献１】特開２００４−８４３８９号公報
【発明の開示】
【発明が解決しようとする課題】
【０００５】
前記片引き窓等の開口部装置においては、ロール網戸を取付ける場合、サッシ枠とは別に、ガイドレール等のロール網戸専用の専用枠が必要となり、このため、枠全体の見込みが大きくなり、納まりに制約が発生したり、コストの増大を招くといった問題がある。
【０００６】
本発明は、上記事情を考慮してなされたものであり、専用枠を要せずにロール網戸を取付けることができ、納まりへの影響がなく、コストの低減が図れる開口部装置を提供することを目的とする。
【課題を解決するための手段】
【０００７】
本発明のうち、請求項１の発明は、上枠、下枠及び左右の縦枠からなる窓枠と、該窓枠内の片側又は中央に設けられた嵌め殺し部と、窓枠内にスライド開閉可能に設けられた片引き障子とを備え、前記嵌め殺し部は、上枠及び下枠に設けられた溝にパネルを装着してなり、前記嵌め殺し部と対向する側の縦枠の内側面にロール網戸の網体を巻取って収納する巻取部を設け、該巻取部から引き出した網体の端部に戸先框を設け、該戸先框の上下端部を横方向にスライド可能に支持するガイドレールを前記上枠及び下枠の溝と同列に設けたことを特徴とする。
【０００８】
請求項２の発明は、上枠、下枠及び左右の縦枠からなる窓枠と、該窓枠内の片側又は中央に設けられた嵌め殺し部と、窓枠内にスライド開閉可能に設けられた片引き障子とを備え、前記嵌め殺し部は、上枠及び下枠に設けられた溝にパネルを装着してなり、前記嵌め殺し部と対向する側の縦枠の内側面にロール網戸の網体を巻取って収納する巻取部を設け、該巻取部から引き出した網体の端部に戸先框を設け、該戸先框の上下端部を横方向にスライド可能に支持するガイドレールを前記上枠及び下枠の溝と同列に設け、前記戸先框に、その両端から制動部材をガイドレール内に押し当てて戸先框を所望の位置に停止させる停止機構を設けたことを特徴とする。
【発明の効果】
【０００９】
請求項１の発明によれば、上枠、下枠及び左右の縦枠からなる窓枠と、該窓枠内の片側又は中央に設けられた嵌め殺し部と、窓枠内にスライド開閉可能に設けられた片引き障子とを備え、前記嵌め殺し部は、上枠及び下枠に設けられた溝にパネルを装着してなり、前記嵌め殺し部と対向する側の縦枠の内側面にロール網戸の網体を巻取って収納する巻取部を設け、該巻取部から引き出した網体の端部に戸先框を設け、該戸先框の上下端部を横方向にスライド可能に支持するガイドレールを前記上枠及び下枠の溝と同列に設けているため、専用枠を要せずにロール網戸を取付けることができ、納まりへの影響がなく、コストの低減が図れる。
【００１０】
請求項２の発明によれば、上枠、下枠及び左右の縦枠からなる窓枠と、該窓枠内の片側又は中央に設けられた嵌め殺し部と、窓枠内にスライド開閉可能に設けられた片引き障子とを備え、前記嵌め殺し部は、上枠及び下枠に設けられた溝にパネルを装着してなり、前記嵌め殺し部と対向する側の縦枠の内側面にロール網戸の網体を巻取って収納する巻取部を設け、該巻取部から引き出した網体の端部に戸先框を設け、該戸先框の上下端部を横方向にスライド可能に支持するガイドレールを前記上枠及び下枠の溝と同列に設け、前記戸先框に、その両端から制動部材をガイドレール内に押し当てて戸先框を所望の位置に停止させる停止機構を設けているため、専用枠を要せずにロール網戸を取付けることができ、納まりへの影響がなく、コストの低減が図れると共に、戸先框を所望の位置に容易に停止させることができる。
【発明を実施するための最良の形態】
【００１１】
以下に、本発明を実施するための最良の形態について、添付図面を基に詳述する。図１は本発明を片引き窓に適用した実施の形態を概略的に示す室内側正面図、図３は図１のＡ−Ａ線拡大断面図、図４は図１のＢ−Ｂ拡大断面図、図５は図１のＣ−Ｃ線拡大断面図、図６は図１のＤ−Ｄ線拡大断面図である。
【００１２】
これらの図において、１は開口部装置として例示した片引き窓で、この片引き窓１は、上枠２ａ、下枠２ｂ及び左右の縦枠２ｃ，２ｄからなる窓枠（サッシ枠ともいう）２と、該窓枠２内の片側に設けられた嵌め殺し部（フィックスともいう）３と、窓枠２内にスライド開閉可能に設けられた片引き障子４とを備えている。窓枠２は、建物の壁に形成された開口部に取付けられる。上枠２ａ、下枠２ｂ、縦枠２ｃ，２ｄは、例えばアルミ押出形材からなる。
【００１３】
前記嵌め殺し部３は、上枠２ａ及び下枠２ｂに設けられた溝５，６にパネル（例えばガラスパネル）７を装着してなる。溝５，６は上枠２ａと下枠２ｂの室内側対向部にそれぞれ長手方向に連続して形成されている。実施例では、図６に示すように、上部の溝５には室内側上部押縁８ａ及び室外側上部押縁８ｂを介してパネル７の上縁部が装着されている。下部の溝６は、室内側下部押え９ａと室外側下部押縁９ｂによって形成されている。要するに、パネル７を装着する溝５，６は、上枠２ａ，下枠２ｂに一体に設けられていても良く、押縁等により別体で設けられていても良い。嵌め殺し部３の縦枠（図示例では右側の縦枠）２ｄにはパネル７の右側縁部を装着する縦溝１０を形成するために、室内側側部押え１１ａ及び室外側側部押縁１１ｂが設けられている（図３参照）。また、上枠２ａと下枠２ｂの中間部間にはパネル７の左側縁部を装着するための縦溝１２を有する召合せ框（召し内框ともいう）１３が垂直に掛け渡されて取付けられている。召し内框１３は例えばアルミ押出形材からなる。
【００１４】
片引き障子４は、上框１４ａ、下框１４ｂ及び左右の縦框（戸先框、召合せ框）１４ｃ，１４ｄからなる框体１４内にパネル（例えばガラスパネル）１５を装着してなる。上框１４ａ、下框１４ｂ、縦框１４ｃ，１４ｄは、例えばアルミ押出形材からなる。上枠２ａ及び下枠２ｂの室外側対向部には、片引き障子４をスライド可能に支持するための上部レール１６ａ及び下部レール１６ｂが設けられている。片引き障子４の戸先框１４ｃの室内面には把手１７が設けられている。嵌め殺し部３の召し内框１３にはクレセント錠１８が設けられ、片引き障子４の召合せ框（召し外框）１４ｄにはクレセント受け（図示省略）が設けられている。また、片引き障子４の召し外框１４ｄには、嵌め殺し部３の室外面との隙間を塞いで虫の侵入を防ぐためのヒレ状の縦虫除け部材１９が設けられている。
【００１５】
前記嵌め殺し部３と対向する側の縦枠（実施例では左側の縦枠）２ｃの内側面には、該縦枠２ｃと片引き障子４の戸先部（戸先框１４ｃ）との間を遮蔽して虫の侵入を防止するロール網戸２０が設けられている。このロール網戸２０は、前記縦枠２ｃの内側面に設けられ、網体２１を巻取って収納するための巻取部２２と、該巻取部２１から引き出した網体２０の端部に設けられた戸先框（可動框ともいう）２３と、該戸先框２３の上下端部を横方向（左右方向）にスライド可能に支持するためのガイドレール２４，２５とを備えている。そして、ガイドレール２４，２５は、前記上枠２ａ及び下枠２ｂに嵌め殺し部３のパネル７を装着すべく設けられた溝５，６と同列に設けられている。
【００１６】
前記巻取部２２は、網体２１を巻取る巻取軸２６と、該巻取軸２６を回転可能に収容するケース２７と、巻取軸２６に巻取り方向の付勢力を付与する図示しないバネとから主に構成されている。図示例のケース２７は横断面方形状に形成され、縦枠２ｃの内側面にはケース２７を収容する凹溝２８が設けられている。ケース２７は縦枠２ｃの凹溝２８に嵌合収容されて、ネジで固定されている。ケース２７には網体２１を引き出すためのスリット状の開口部２９が設けられている。ロール網戸２０の戸先框２３には、片引き障子４の戸先框１４ｃの室内面との隙間を塞いで虫の侵入を防ぐためのヒレ状の縦虫除け部材５６が設けられている。
【００１７】
図４に示すように、上枠２ａの溝５には、横断面逆Ｕ字状で、その両側下縁部が相対向して接近して幅の狭いスリット２４ａを形成した上部のガイドレール２４が取付けられている。下枠２ｂの溝６には、横断面Ｕ字状で、その両側上縁部が相対向して接近して幅の狭いスリット２５ａを形成した下部のガイドレール２５が取付けられている。実施例では、嵌め殺し部３以外の上枠２ａの溝５には、横断面略逆Ｕ字状で、前記上部室内側押縁８ａと略同じ上下幅寸法の上部補助部材３０が取付けられ、該上部補助部材３０におけるロール網戸２０の戸先框２３の移動領域には上部のガイドレール２４が取付けられている。また、上部補助部材３０の室外側には片引き障子４の上框１４ａの室内面との隙間を塞いで虫の侵入を防ぐためのヒレ状の上部虫除け部材３１ａを有する上部材３１が取付けられている。
【００１８】
嵌め殺し部３以外の下枠２ｂには、室内側下部押え９ａとの間で溝６を形成する下部補助部材３２が取付けられ、該下部補助部材３２と室内側下部押え９ａとの間の溝６におけるロール網戸２０の戸先框２３の移動範囲には下部のガイドレール２５が取付けられている。また、下部補助部材３２の室外側には片引き障子４の下框１４ｂの室内面との隙間を塞いで虫の侵入を防ぐためのヒレ状の下部虫除け部材３３ａを有する下部材３３が取付けられている。図５に示すように、前記上部補助部材３０における上部のガイドレール２４以外の部分にはその下面を塞ぐ上部塞ぎ部材３４が取付けられ、前記下部補助部材３２と下部室内側押え９ａとの間の溝６における下部のガイドレール２５以外の部分にはその上面を塞ぐ下部塞ぎ部材３５が取付けられ、意匠性の向上が図られている。片引き障子４の戸先框１４ｃの全開位置は、把手１７の分だけ、召し内框１３の位置よりも外側（左側）に制限されているので、ロール網戸２０の戸先框２３の移動範囲も巻取部２２から全開位置の片引き障子４の戸先框１４ｃの位置までとされる。
【００１９】
上下のガイドレール２４，２５内には網体２１の上辺と下辺を案内する上下のインナーレール３６，３７がそれぞれ上下移動可能に収容されて設けられている。前記網体２１の上辺と下辺には例えばバンクテープを縫い付けることにより横断面方形ないし略円形の縁部３８，３８が長手方向に沿って設けられ、上下のインナーレール３６，３７にはその縁部３８，３８を長手方向に沿ってスライド可能に支持するガイド溝３６ａ，３７ａが設けられている。縁部３８は網体２１と一体に屈曲し得る弾性材により形成されている。インナーレール３６，３７は、例えば合成樹脂製又はアルミ製の形材からなっている。
【００２０】
前記ロール網戸２０の戸先框２３は、例えばアルミ押出形材製であり、その長手方向の上端部と下端部には、前記上下のガイドレール２４，２５のスリット２４ａ，２５ａに沿ってスライド可能に係合する横断面略Ｔ字状の係合部３９ａを有する端部ピース３９が設けられている。また、前記戸先框２３には、その両端から制動部材４０、４０をガイドレール２４，２５内、実施例ではインナーレール３６，３７に押し当てて戸先框２３を所望の位置に停止させるための停止機構４１が設けられている。図２は戸先框の停止機構の操作部の一例を示す概略的断面図、図７は戸先框の停止機構の一例を示す概略的分解斜視図である。
【００２１】
前記停止機構４１は、上下の端部ピース３９，３９内にそれぞれ所定範囲で上下移動可能に設けられた制動部材（ストッパー軸）４０，４０と、該制動部材４０を前記インナーレール３６，３７の対向面に押圧すべく制動部材４０を端部ピース３９の先端から突出する方向へ付勢する付勢手段である圧縮バネ４２と、上下の両制動部材４０，４０を上下の連動軸４３，４３を介して突出没入操作する操作部４４とから主に構成されている。制動部材４０は、先端に摩擦抵抗の大きい例えばゴム等の制動片４０ａを有していることが好ましい。
【００２２】
操作部４４は、戸先框２３の室内面の高さ方向略中央部に設けられている。この操作部４４は、戸先框２３に取付けられたケース４５と、該ケース４５に設けられた固定摘み４６と、該固定摘み４６に対して開閉可能なようにケース４５に揺動可能に設けられた操作レバー４７とを備えている。ケース４５内には操作レバー４７の支軸４７ａに嵌合されて一体に回動する回動ピース４８と、該回動ピース４８の回動によって上下に駆動される一対のスライドピース４９，４９と、操作レバー４７を元の開位置に復帰させる復帰バネ５０とが設けられている。また、ケース４５の裏面にはプレート５１がネジ５２で固定され、このプレート５１の軸穴５３に対して前記回動レバー４７の支軸４７ａがワッシャー５４及びネジ５５により回動可能に支持されている。更に、前記上下の連動軸４３，４３は前記スライドピース４９，４９にそれぞれ連結されており、固定摘み４６と操作レバー４７を片手で摘んで操作レバー４７を閉じる（固定摘み４６に接近させる）と、制動部材４０が没入されて制動が解除され、ロール網戸２０の戸先框２３の開閉操作が可能となり（戸先框２３を任意の位置に移動することができ）、操作レバー４７を解放すると、操作レバー４７が開位置に復帰すると共に制動部材４０が突出して制動状態となり、戸先框２３を停止固定することができる。
【００２３】
以上の構成からなる片引き窓１によれば、上枠２ａ、下枠２ｂ及び左右の縦枠２ｃ，２ｄからなる窓枠２と、該窓枠２内の片側に設けられた嵌め殺し部３と、窓枠２内にスライド開閉可能に設けられた片引き障子４とを備え、前記嵌め殺し部３は、上枠２ａ及び下枠２ｂに設けられた溝５，６にパネル７を装着してなり、前記嵌め殺し部３と対向する側の縦枠２ｃの内側面にロール網戸２０の網体２１を巻取って収納する巻取部２２を設け、該巻取部２２から引き出した網体２１の端部に戸先框２３を設け、該戸先框２３の上下端部を横方向にスライド可能に支持するガイドレール２４，２５を前記上枠２ａ及び下枠２ｂの溝５，６と同列に設けているため、専用枠を要せずにロール網戸２０を取付けることができ、納まりへの影響がなく、コストの低減が図れる。すなわち、上枠２ａ及び下枠２ｂに設けられた嵌め殺し部３のパネル装着用の溝５，６の延長部分（上枠２ａ及び下枠２ｂが押出形材であることから長手方向全長に溝５，６が形成されている）を利用してガイドレール２４，２５を取付けているため、別途専用枠を設けることなくロール網戸２０を取付けることができ、専用枠が不要なので、枠見込みを小さくでき、納まりへの影響がなく、意匠性の向上及びコストの低減が図れる。
【００２４】
また、前記戸先框２３に、その両端から制動部材４０，４０をガイドレール２４，２５内に押し当てて戸先框２３を所望の位置に停止させる停止機構４１を設けているため、戸先框２３を片引き障子４の戸先部（戸先框１４ｃ）に対応する所望の位置に容易に停止させることができる。この種の従来のロール網戸では、制動部材を専用枠の露出面に押し当てて制動しているため、専用枠の露出面が擦れたり、変色したりして意匠性の低下を招いていたが、本実施例では制動部材４０，４０をガイドレール２４，２５内、例えばガイドレール２４，２５内のインナーレール３６，３７に押し当てるようにしたので、インナーレール３６，３７の押し当て面が擦れたり、変色したりしたとしても、ガイドレール２４，２５内で見えにくく、意匠性の向上が図れる。
【００２５】
以上、本発明の実施の形態ないし実施例を図面により詳述してきたが、本発明は前記実施の形態ないし実施例に限定されるものではなく、本発明の要旨を逸脱しない範囲での種々の設計変更等が可能である。例えば、本発明は、図８に示すように、窓枠２内の中央部に嵌め殺し部３を設け、窓枠２内の両袖部に片引き障子４，４をスライド開閉可能に設けた中央嵌め殺し両袖片引き窓１Ｘにも適用可能であり、この中央嵌め殺し両袖片引き窓１Ｘにおいても図１の片引き窓と同様の作用効果を奏することができる。なお、図８において、図１と同一部分は同一符号を付して説明を省略する。
【図面の簡単な説明】
【００２６】
【図１】本発明を片引き窓に適用した実施の形態を概略的に示す室内側正面図である。
【図２】戸先框の停止機構の操作部の一例を示す概略的断面図である。
【図３】図１のＡ−Ａ線拡大断面図である。
【図４】図１のＢ−Ｂ拡大断面図である。
【図５】図１のＣ−Ｃ線拡大断面図である。
【図６】図１のＤ−Ｄ線拡大断面図である。
【図７】戸先框の停止機構の一例を示す概略的分解斜視図である。
【図８】本発明を中央嵌め殺し両袖片引き窓に適用した実施の形態を概略的に示す室内側正面図である。
【符号の説明】
【００２７】
１  片引き窓（開口部装置）
２  窓枠
２ａ  上枠
２ｂ  下枠
２ｃ，２ｄ  縦枠
３  嵌め殺し部
４  片引き障子
５，６  溝
７  パネル
２０  ロール網戸
２１  網体
２２  巻取部
２３  戸先框
２４，２５  ガイドレール
４０  制動部材
４１  停止機構
１Ｘ  中央嵌め殺し両袖片引き窓（開口部装置）
【図１】
2006002452.tif 000003
【図２】
2006002452.tif 000004
【図３】
2006002452.tif 000005
【図４】
2006002452.tif 000006
【図５】
2006002452.tif 000007
【図６】
2006002452.tif 000008
【図７】
2006002452.tif 000009
【図８】
2006002452.tif 000010